(57)【要約】【課題】常時、耐震ロック装置が正常に作動する耐震ロック装置の取付構造を提供する。【解決手段】ウォールキャビネット３は、天板３１、左右一対の側板、底板３３、背板３４及び２枚の中仕切板３５、３５からなる本体部３Ａと、この本体部３Ａの前面開口部を閉塞する開閉可能な３枚の扉３Ｂとから構成されており、２枚の中仕切板３５、３５によって仕切られた３つの収納空間には、それぞれ２枚の棚板３６、３６が設置されている。耐震ロック装置１を構成している係合部材１Ｂは、従来と同様に、扉３Ｂにおける裏面上部に取り付けられているが、装置本体１Ａは、従来のように、天板３１の下面に取り付けられるのではなく、中仕切板３５の上部前面側に、Ｌ字状の取付金具５１を介して、取り付けられている。【選択図】        図３
2007002577.tif 000002
【特許請求の範囲】
【請求項１】
キャビネットの本体部に取り付けられる装置本体と、前記キャビネットの扉に取り付けられる、前記装置本体が係止可能な係合部材とを備え、地震が発生すると、前記装置本体が前記係合部材を係止し、地震が収まると、前記装置本体による前記係合部材の係止を解除するという正常動作を実行させるためには、前記装置本体の水平性を確保しなければならない耐震ロック装置の取付構造であって、
前記装置本体を、前記キャビネットの前記本体部を構成している側板及び／または中仕切板に、直接または取付部材を介して水平に取り付けるようにしたことを特徴とする耐震ロック装置の取付構造。
【発明の詳細な説明】
【技術分野】
【０００１】
この発明は、地震が発生したときに、キャビネットの扉が開くのを阻止する耐震ロック装置のキャビネットへの取付構造に関する。
【背景技術】
【０００２】
この種の耐震ロック装置は、図９及び図１０に示すように、通常、キャビネット２の本体部２Ａに取り付けられる装置本体１Ａと、キャビネット２の扉２Ｂに取り付けられる係合部材１Ｂとから構成されており、装置本体１Ａは、本体部２Ａの天板２１の下面に固定されるのが一般的である。
【０００３】
前記装置本体１Ａは、図１１（ａ）、（ｂ）及び図１２（ａ）〜（ｃ）に示すように、ケース本体１２の上端開口部が蓋１３によって閉塞されるケース１１と、ケース本体１２の底面に形成された挿通穴１２ａに出没自在に挿通されるロックピン１４と、このロックピン１４の上端に連設されたフランジ１５と、ケース１１内に収容された３個の鋼球１６とを備えており、３個の鋼球１６は、地震に伴うキャビネット２の揺れによって、フランジ１５上に転動することで、ロックピン１４の上昇を規制するようになっている。
【０００４】
ケース本体１２には、フランジ１５の周囲に３個の鋼球１６をそれぞれ退避させる退避スペースが３箇所設けられており、これらの退避スペース及びフランジ１５を取り囲む仕切体１２ｂが一体成形されている。
【０００５】
ケース本体１２の上端開口部を閉塞する蓋１３の下面には、フランジ１５に対応する部分に、ケース本体１２の各退避スペースに退避している鋼球１６をフランジ１５上に案内する、突条からなるガイド体１３ａが一体成形されており、このガイド体１３ａによって、各鋼球１６のフランジ１５上への進入スペースが完全に区画されている。
【０００６】
フランジ１５の上面は、中心から周縁に向かって下がり傾斜になっており、地震に伴うキャビネット２の揺れによってフランジ１５上に移動した鋼球１６は、地震の揺れがなくなると、ガイド体１３ａに案内されながら、自然にフランジ１５の周縁側に転動し、待機スペースに退避することになる。
【０００７】
従って、キャビネット２の本体部２Ａに取り付けられた装置本体１Ａは、通常、鋼球１６がケース本体１２の各退避スペースに退避した状態に保持されるように、また、地震の揺れがなくなると、鋼球１６がフランジ１５の傾斜した上面を周縁側に転動して退避スペースに戻ってくるように、水平性が確保されていなければならない。
【０００８】
前記係合部材１Ｂは、図１０に示すように、その先端部に、ケース本体１２の挿通穴１２ａから突出しているロックピン１４に当接する当接部１７が形成されており、この当接部１７は、当接したロックピン１４を押し上げることができるように、扉２Ｂの開閉方向の前後に傾斜した当接面１７ａ、１７ｂを有している。
【０００９】
以上のように構成された耐震ロック装置１は、通常、図１３（ａ）〜（ｃ）に示すように、３個の鋼球１６がケース本体１２の各退避スペースに退避した状態となっているので、ロックピン１４の上端に連設されたフランジ１５の上方に障害物がなく、ロックピン１４が自由に昇降することができる状態になっている。従って、扉２Ｂを開閉する際は、係合部材１Ｂの当接部１７における傾斜した当接面１７ａ、１７ｂがロックピン１４を押し上げながら通過することになるので、ロックピン１４が扉２Ｂの開閉動作の障害になることがなく、扉２Ｂを自由に開閉することができる。
【００１０】
一方、地震の発生に伴ってキャビネット２に揺れが発生すると、図１４（ａ）に示すように、各退避スペースに退避している３個の鋼球１６のうち、少なくとも１個の鋼球１６がフランジ１５上に転動し、ロックピン１４の上昇を阻止するので、同図（ｂ）に示すように、扉２Ｂが開こうとしても、扉２Ｂに取り付けられている係合部材１Ｂの当接部１７がロックピン１４に係止され、扉２Ｂはほとんど開くことがない。ここで、地震に伴うキャビネット２の揺れが停止すると、同図（ｃ）に示すように、フランジ１５上に位置している鋼球１６が、フランジ１５の傾斜した上面を周縁側に転動し、退避スペースに戻ることになるので、図１３（ａ）〜（ｃ）に示すように、扉２Ｂを自由に開閉することができる状態となる。
【００１１】
【特許文献１】特許第３０４８３５７号公報
【発明の開示】
【発明が解決しようとする課題】
【００１２】
ところで、上述したようなキャビネット２には、その天板２１の上に物品を載せる場合があるが、そのように天板２１の上に物品を載せると、その物品の重量によっては、天板２１が撓んでしまうので、上述したように、機能上、水平設置しなければならない耐震ロック装置１の装置本体１Ａを天板２１の下面に固定していたのでは、装置本体１Ａが常に傾いた状態となり、地震が発生していないにも拘わらず、ロック機能が作動し、扉２Ｂを自由に開閉することができなくなるという問題がある。
【００１３】
そこで、この発明の課題は、常時、耐震ロック装置が正常に作動する耐震ロック装置の取付構造を提供することにある。
【課題を解決するための手段】
【００１４】
上記の課題を解決するため、請求項１にかかる発明は、キャビネットの本体部に取り付けられる装置本体と、前記キャビネットの扉に取り付けられる、前記装置本体が係止可能な係合部材とを備え、地震が発生すると、前記装置本体が前記係合部材を係止し、地震が収まると、前記装置本体による前記係合部材の係止を解除するという正常動作を実行させるためには、前記装置本体の水平性を確保しなければならない耐震ロック装置の取付構造であって、前記装置本体を、前記キャビネットの前記本体部を構成している側板及び／または中仕切板に、直接または取付部材を介して水平に取り付けるようにしたことを特徴とする耐震ロック装置の取付構造を提供するものである。
【発明の効果】
【００１５】
以上のように、請求項１にかかる発明の耐震ロック装置の取付構造では、耐震ロック装置の装置本体が、キャビネットの本体部を構成している側板及び／または中仕切板に水平に取り付けられているので、本体部の天板上に重量物が載置されることによって天板が撓んだとしても、側板や中仕切板は傾きにくく、耐震ロック装置の装置本体が水平状態に保持されるので、耐震ロック装置が正常に作動することになる。
【発明を実施するための最良の形態】
【００１６】
以下、実施の形態について図面を参照して説明する。図１〜図３は、耐震ロック装置を取り付けたウォールキャビネット３を示している。なお、このウォールキャビネット３では、背景技術の欄で説明したものと同一の耐震ロック装置１を使用しているので、耐震ロック装置については同一符号を付してその説明を省略する。
【００１７】
このウォールキャビネット３は、同図に示すように、天板３１、左右一対の側板３２、３２、底板３３、背板３４及び２枚の中仕切板３５、３５からなる本体部３Ａと、この本体部３Ａの前面開口部を閉塞する開閉可能な３枚の扉３Ｂとから構成されており、２枚の中仕切板３５、３５によって仕切られた３つの収納空間には、それぞれ２枚の棚板３６、３６が設置されている。
【００１８】
耐震ロック装置１を構成している係合部材１Ｂは、従来と同様に、扉３Ｂにおける裏面上部に取り付けられているが、装置本体１Ａは、従来のように、天板３１の下面に取り付けられるのではなく、図１〜図４に示すように、中仕切板３５の上部前面側に、Ｌ字状の取付金具５１を介して、取り付けられている。
【００１９】
以上のように、このウォールキャビネット３では、耐震ロック装置１の装置本体１Ａが、取付金具５１を介して、中仕切板３５に取り付けられているので、本体部３Ａの天板３１上に重量物が載置されることによって天板３１が撓んだとしても、側板３２や中仕切板３５はほとんど傾くことがなく、耐震ロック装置１の装置本体１Ａが水平状態に保持されるので、耐震ロック装置１が正常に作動することになる。
【００２０】
図５〜図７は、耐震ロック装置を取り付けたベースキャビネット４を示している。なお、このベースキャビネット４についても、背景技術の欄で説明したものと同一の耐震ロック装置１を使用しているので、耐震ロック装置については同一符号を付してその説明を省略する。
【００２１】
このベースキャビネット４は、同図に示すように、上面開口部及び前面開口部を有する本体部４Ａと、この本体部４Ａの前面開口部の右側領域を開閉する扉４Ｂ及び前面開口部の左側領域に差し込まれる上下２段の引き出し４Ｃ、４Ｄとから構成されており、本体部４Ａの上面開口部にはシンクを有するカウンター（図示せず）が固定設置されるようになっている。
【００２２】
本体部４Ａは、左右一対の側板４１、４１と、側板４１、４１を背面側で連結する背板４２と、側板４１、４１の上部を前面側で連結する戸当り板４３と、引き出し４Ｃ、４Ｄを収容する左側収納部と扉４Ｂによって開閉される右側収納部とを区画する中仕切板４４とを備えており、右側収納部には、蹴込板４５と、蹴込板４５の上端部に設置された底板４６と、収納空間を上下に仕切る棚板４７とを備えている。
【００２３】
耐震ロック装置１を構成している係合部材１Ｂは、図７に示すように、扉４Ｂにおける裏面に取り付けられており、装置本体１Ａは、図５〜図８に示すように、略Ｌ字状の取付金具５２を介して、中仕切板４４の上部前面側に取り付けられている。
【００２４】
この取付金具５２は、図８（ａ）〜（ｃ）に示すように、耐震ロック装置１の装置本体１Ａが固定される装置本体固定片５２ａと、装置本体固定片５２ａの一端から垂下した、中仕切板４４にビス止めされる取付片５２ｂと、装置本体固定片５２ａから立ち上がる位置決め片５２ｃとから構成されており、装置本体１Ａを装置本体固定片５２ａに固定した状態では、装置本体１Ａの前端側が装置本体固定片５２ａから一部張り出した状態となっている。
【００２５】
従って、耐震ロック装置１の装置本体１Ａを装置本体固定片５２ａに固定し、装置本体固定片５２ａから張り出した装置本体１Ａの前端側の上面を戸当り板４３の下端面に押し当てながら、位置決め片５２ｃを戸当り板４３の内面側に押し当てると、取付金具５２が上下方向及び前後方向に位置決めされるので、このように取付金具５２を位置決めした状態で、取付片５２ｂを中仕切板４４にビス止めすることによって、耐震ロック装置１の装置本体１Ａを中仕切板４４の所定位置に効率よく取り付けることができる。
【００２６】
以上のように、このベースキャビネット４では、耐震ロック装置１の装置本体１Ａを、取付金具５２を介して、中仕切板４４に取り付けるようにしているので、天板のないベースキャビネット４についても、正常に作動するような状態で耐震ロック装置１を取り付けることができる。
【００２７】
なお、上述した実施形態では、耐震ロック装置１の装置本体１Ａを中仕切板４４に取り付けたウォールキャビネット３やベースキャビネット４について説明したが、これに限定されるものではなく、扉の開き勝手によっては、キャビネットの側板に耐震ロック装置１の装置本体１Ａを取り付けることによって、同様の効果を得ることができる。
【００２８】
また、上述した各実施形態では、耐震ロック装置１の装置本体１Ａを、Ｌ字状の取付金具５１または略Ｌ字状の取付金具５２を介して、中仕切板３５、４４に取り付けているが、取付部材はこういった取付金具５１、５２に限定されるものではなく、側板や中仕切板に対して耐震ロック装置１の装置本体１Ａを水平に取り付けることができるものであれば、種々の形状や材質のものを採用することができる。ただし、装置本体１Ａの重量等によって変形しない強度を有していなければならないことはいうまでもない。
【００２９】
また、キャビネットの側板や中仕切板に対する取付部材の取付方法は、上述した実施形態のように、ビス止めに限定されるものではなく、接着剤や両面粘着テープ等を用いて固着することも可能である。
【００３０】
また、上述した実施形態では、取付金具５１、５２といった取付部材を介して、耐震ロック装置１の装置本体１Ａをキャビネット３、４の中仕切板３５、４４に取り付けているが、これに限定されるものではなく、例えば、耐震ロック装置の装置本体をキャビネットの側板や中仕切板に直接取り付けることができるのであれば、あえて取付部材を使用する必要はない。
【００３１】
また、本発明は、上述したような耐震ロック装置１に限定されるものではなく、装置本体をキャビネットに対して水平に設置しなければならない種々の耐震ロック装置に対して本発明を適用することができることはいうまでもない。
【図面の簡単な説明】
【００３２】
【図１】この発明にかかる耐震ロック装置の取付構造を採用しているウォールキャビネットの一実施形態を示す正面図である。
【図２】同上のウォールキャビネットを示す平面図である。
【図３】図１のＸ−Ｘ線に沿った断面図である。
【図４】同上のウォールキャビネットにおける耐震ロック装置の装置本体の取付状態を示す詳細図である。
【図５】この発明にかかる耐震ロック装置の取付構造を採用しているベースキャビネットの一実施形態を示す正面図である。
【図６】同上のベースキャビネットを示す平面図である。
【図７】図５のＹ−Ｙ線に沿った断面図である。
【図８】（ａ）〜（ｃ）は同上のベースキャビネットにおける耐震ロック装置の装置本体の取付状態を示す詳細図である。
【図９】（ａ）は従来の耐震ロック装置の取付構造を採用しているウォールキャビネットを示す平面図、（ｂ）は同上のウォールキャビネットを示す正面図、（ｃ）は同上のウォールキャビネットを示す縦断面図である。
【図１０】同上の耐震ロック装置の取付状態を示す側面図である。
【図１１】（ａ）は同上の耐震ロック装置における装置本体を示す底面図、（ｂ）は同上の装置本体を示す正面図である。
【図１２】（ａ）は同上の装置本体におけるケースの蓋を取り外した状態を示す平面図、（ｂ）は同上の装置本体を示す断面図、（ｃ）は同上の蓋の下面を示す平面図である。
【図１３】（ａ）〜（ｃ）は同上の耐震ロック装置の通常時の動作を示す動作説明図である。
【図１４】（ａ）〜（ｃ）は同上の耐震ロック装置の地震発生時の動作を示す動作説明図である。
【符号の説明】
【００３３】
１  耐震ロック装置
１Ａ  装置本体
１Ｂ  係合部材
３  ウォールキャビネット
３Ａ  本体部
３Ｂ  扉
４  ベースキャビネット
４Ａ  本体部
４Ｂ  扉
３１  天板
３２  側板
３３  底板
３４  背板
３５  中仕切板
３６  棚板
４１  側板
４２  背板
４３  戸当り板
４４  中仕切板
４５  蹴込板
４６  底板
４７  棚板
５１、５２  取付金具
５２ａ  装置本体固定片
５２ｂ  取付片
５２ｃ  位置決め片
【図１】
2007002577.tif 000003
【図２】
2007002577.tif 000004
【図３】
2007002577.tif 000005
【図４】
2007002577.tif 000006
【図５】
2007002577.tif 000007
【図６】
2007002577.tif 000008
【図７】
2007002577.tif 000009
【図８】
2007002577.tif 000010
【図９】
2007002577.tif 000011
【図１０】
2007002577.tif 000012
【図１１】
2007002577.tif 000013
【図１２】
2007002577.tif 000014
【図１３】
2007002577.tif 000015
【図１４】
2007002577.tif 000016